(57)【要約】【課題】  アンサーバックの音を簡単に登録でき、使用者の意に反した状態とならないように確実に設定できるようにする。【解決手段】  ドアロック制御回路１０は、無線キー２からの信号を受信するとロック／アンロックの動作を制御する。制御回路１１は、その動作に応じてメモリ１７に記憶したアンサーバック音を音声出力する。アンサーバック音は、外部からデータを取り込んで設定できる。制御回路１１は、個人認証を確認した使用者のダウンロード要求を受け付けてアンサーバック音をダウンロードし、重複しないように確認した上で設定処理をする。【選択図】  図１
2006169870.tif 000002
【特許請求の範囲】
【請求項１】
ロック／アンロック信号を受信するキーレス信号受信手段と、
このキーレス信号受信手段により受信されたロック／アンロック信号に応じてドアのロック／アンロック動作制御を行う制御手段と、
ドアのロック／アンロック動作に対応するアンサーバック音声データが記憶される記憶手段と、
前記制御手段によるドアのロック／アンロック動作時に前記記憶手段からその動作に応じたアンサーバック音声データを読み出して音声出力するアンサーバック手段と、
外部に設けられたアンサーバック音声データを提供するサーバにアクセス可能に設けられ指定したアンサーバック音声データを取得可能なデータ取得手段と、
データ取得手段により取得された前記アンサーバック音データを前記ロック／アンロック動作のいずれか指定された動作に対応して前記記憶手段に記憶設定する設定手段と
を備えたことを特徴とする音声アンサーバック装置。
【請求項２】
請求項１に記載の音声アンサーバック装置において、
前記設定手段は、使用者により指定された音量のデータを前記記憶手段に記憶するように設けられ、
前記アンサーバック手段は、前記アンサーバック音を前記設定手段により設定されている音量で音声出力することを特徴とする音声アンサーバック装置。
【請求項３】
請求項１または２に記載の音声アンサーバック装置において、
前記設定手段は、前記アンサーバック音データをロック／アンロックのいずれか一方に設定する際に、他方に設定されているアンサーバック音データと同じである場合にはその設定を禁止することを特徴とする音声アンサーバック装置。
【請求項４】
請求項３に記載の音声アンサーバック装置において、
前記設定手段は、前記アンサーバック音データをロック／アンロックのいずれか一方に設定する際に、他方に設定されているアンサーバック音を音声出力して同じである場合にはその設定を禁止することを特徴とする音声アンサーバック装置。
【請求項５】
請求項１ないし４のいずれかに記載の音声アンサーバック装置において、
前記データ取得手段は、前記設定手段によるロック／アンロック音の各アンサーバック音データ設定では対応して専用のロック／アンロック音のアンサーバック音データがダウンロード可能に設けられているロック／アンロック音用サーバにアクセスするように構成されていることを特徴とする音声アンサーバック装置。
【請求項６】
請求項１ないし５のいずれかに記載の音声アンサーバック装置において、
登録された使用者か否かを個人認証する認証手段を設け、
前記設定手段は、ロック／アンロック音のアンサーバック音データ設定の処理を、前記認証手段により登録された使用者であることが認証されたことを条件として実行するように構成されていることを特徴とする音声アンサーバック装置。
【請求項７】
請求項６に記載の音声アンサーバック装置において、
前記認証手段は、使用者による個人認証情報の入力手段を備え、その入力手段に入力されたパスワードをもって前記認証処理を行うことを特徴とする音声アンサーバック装置。
【請求項８】
請求項６に記載の音声アンサーバック装置において、
前記認証手段は、使用者による個人認証情報の入力手段を備え、その入力手段に入力された指紋情報をもって前記認証処理を行うことを特徴とする音声アンサーバック装置。
【請求項９】
請求項６に記載の音声アンサーバック装置において、
前記認証手段は、使用者による個人認証情報の入力手段を備え、その入力手段に入力された網膜像情報をもって前記認証処理を行うことを特徴とする音声アンサーバック装置。
【請求項１０】
請求項１ないし９のいずれかに記載の音声アンサーバック装置において、
前記データ取得手段は、音声情報を記憶可能な携帯電話機と通信を行ってその音声情報を取得可能に構成され、
前記設定手段は、その携帯電話機から取得した音声情報を前記アンサーバック音データとして前記ロック／アンロック動作のいずれか指定された動作に対応して前記記憶手段に記憶設定するように構成されていることを特徴とする音声アンサーバック装置。
【請求項１１】
請求項１ないし１０のいずれかに記載の音声アンサーバック装置において、
前記データ取得手段は、電子メールが使用可能な通信ナビゲーションシステムから電子メールに添付された音声データを取得可能に構成され、
前記設定手段は、その音声データを前記アンサーバック音データとして前記ロック／アンロック動作のいずれか指定された動作に対応して前記記憶手段に記憶設定するように構成されていることを特徴とする音声アンサーバック装置。
【請求項１２】
請求項１ないし１１のいずれかに記載の音声アンサーバック装置において、
前記データ取得手段は、携帯可能な記憶手段に記憶されている音声データを取得可能に構成され、
前記設定手段は、その音声データを前記アンサーバック音データとして前記ロック／アンロック動作のいずれか指定された動作に対応して前記記憶手段に記憶設定するように構成されていることを特徴とする音声アンサーバック装置。
【請求項１３】
請求項１ないし１２のいずれかに記載の音声アンサーバック装置において、
ドアのロック／アンロック動作に対応するアンサーバック動作を行うアンサーバック動作制御手段を備えたことを特徴とする音声アンサーバック装置。
【請求項１４】
請求項１３に記載の音声アンサーバック装置において、
前記アンサーバック動作制御手段は、ライトの点滅動作をアンサーバック動作として実施するように構成されていることを特徴とする音声アンサーバック装置。
【請求項１５】
請求項１３に記載の音声アンサーバック装置において、
前記アンサーバック動作制御手段は、サイドミラーの開閉動作をアンサーバック動作として実施するように構成されていることを特徴とする音声アンサーバック装置。
【発明の詳細な説明】
【技術分野】
【０００１】
無線キーでドアをロックあるいはアンロックしたときに動作を確認するための音や音声により応答するようにした音声アンサーバック装置に関する。
【背景技術】
【０００２】
この種の装置として、無線キーを使ってドアロックあるいはドアアンロックをしたときに、動作確認音や音声により応答するようにした音声アンサーバックシステムとして、例えば特許文献１に示されるものがある。これには、使用者の好みの音声をアンサーバック音に設定することができるようにしたものが開示されている。
【特許文献１】特開２００４−１９３３４号公報
【発明の開示】
【発明が解決しようとする課題】
【０００３】
しかし、上記した特許文献１のものは、アンサーバック音データを設定するためには、外部の機器（ＣＤプレーヤ等）と接続して録音しなければならないので、使用者は機器を所有している必要があるし録音作業が面倒である。
また、これとは別に、一人の使用者がロック音あるいはアンロック音を設定したにもかかわらず、勝手に別の使用者が別の音を設定してしまったり、場合によっては逆のアンサーバック音に設定してしまったりするとい事態も生ずる。このように、他人により設定が変更された場合に、はじめに設定をした使用者は設定したアンサーバック音データとは異なるアンサーバック音が出力されるので混乱する可能性がある。
さらには、ロック音およびアンロック音を不用意に同じ音に設定しまうことがあり、この場合には、いずれの操作時においても同じアンサーバック音が出力されるため、これも使用者が混乱する要因となる。
【０００４】
本発明は、上記事情を考慮してなされたもので、アンサーバックの音を簡単に登録することができると共に、登録したアンサーバックの音が使用者の意に反した状態とならないように確実に設定することができるようにした音声アンサーバック装置を提供することにある。
【課題を解決するための手段】
【０００５】
請求項１の発明によれば、制御手段は、キーレス信号受信手段によりロック／アンロック信号を受信すると、ドアのロック／アンロックの動作制御を行い、このとき、アンサーバック手段は、ロック／アンロックの動作に応じて記憶手段に記憶されているアンサーバック音声データを読み出して音声出力としてアンサーバック動作を行う。そして、上記のアンサーバック動作に用いるアンサーバック音声データは、データ取得手段により外部のサーバにアクセスして取得し、設定手段により記憶手段に記憶設定することができるので、使用者の好みに応じたアンサーバック音を簡単に設定することができる。
【０００６】
請求項２の発明によれば、上記発明において、設定手段を、使用者により指定された音量のデータを記憶手段に記憶するように設け、アンサーバック手段により、アンサーバック音を設定手段により設定されている音量で音声出力するので、使用者が必要とする音量でアンサーバック動作を行わせることができるようになる。
【０００７】
請求項３の発明によれば、上記各発明において、設定手段により、アンサーバック音データをロック／アンロックのいずれか一方に設定する際に、他方に設定されているアンサーバック音データと同じである場合にはその設定を禁止するので、うっかり同じアンサーバック音データを設定することを防止できるようになり、アンサーバック音をロック／アンロックの各動作で確実に異なるアンサーバック音を出力することができるようになる。
【０００８】
請求項４の発明によれば、上記請求項３の発明において、設定手段により、アンサーバック音データをロック／アンロックのいずれか一方に設定する際に、他方に設定されているアンサーバック音を音声出力した上で、同じである場合にはその設定を禁止するので、使用者が音声出力を聞くことで確認することができるので、迅速にそのことを認識できると共に確実に異なるアンサーバック音を設定することができるようになる。
【０００９】
請求項５の発明によれば、上記各発明において、設定手段がロック／アンロック音の各アンサーバック音データ設定をする場合に、データ取得手段により、専用のロック／アンロック音のアンサーバック音データをダウンロードするように対応するロック／アンロック音用サーバにアクセスするので、ロック音あるいはアンロック音の専用のサーバからダウンロードすることで、同じ音を設定するといった不具合を招くことなく確実に異なるアンサーバック音を設定することができるようになる。
【００１０】
請求項６の発明によれば、上記各発明において、認証手段により、登録された使用者か否かを個人認証し、登録された使用者が認証された場合には、設定手段により、ロック／アンロック音のアンサーバック音データ設定の処理を実行するようにしたので、不用意に第三者によってアンサーバック音の設定変更がなされることがなくなり、アンサーバック音による確認が使用者本人の設定どおりとすることができるようになる。
【００１１】
請求項７の発明によれば、上記請求項６の発明において、認証手段は、使用者による個人認証情報の入力手段を備え、その入力手段に入力されたパスワードをもって認証処理を行うので、パスワードを設定することによって簡単且つ確実に個人認証を行うことができる。
【００１２】
請求項８および９の発明によれば、前記請求項６の発明において、認証手段は、使用者による個人認証情報の入力手段を備え、その入力手段に入力された指紋情報あるいは網膜像情報をもって前記認証処理を行うので、使用者が覚える必要のない身体的特徴を直接入力することで確実に個人認証を行うことができる。
【００１３】
請求項１０の発明によれば、上記各発明において、データ取得手段を、音声情報を記憶可能な携帯電話機との間で通信を行ってその音声情報を取得可能に構成し、設定手段により、その携帯電話機から取得した音声情報をアンサーバック音データとしてロック／アンロック動作のいずれか指定された動作に対応して記憶手段に記憶設定するように構成したので、携帯電話機によって専用のサーバからダウンロードするようなアンサーバック音データについても簡単且つ迅速にアンサーバック音として記憶設定することができるようになる。
【００１４】
請求項１１の発明によれば、上記各発明において、データ取得手段を、電子メールが使用可能な通信ナビゲーションシステムから電子メールに添付された音声データを取得可能に構成し、設定手段により、その音声データを前記アンサーバック音データとしてロック／アンロック動作のいずれか指定された動作に対応して記憶手段に記憶設定するように構成したので、電子メールにアンサーバック音データを添付することで簡単にアンサーバック音の登録設定をすることができるようになる。
【００１５】
請求項１２の発明によれば、上記各発明において、データ取得手段を、携帯可能な記憶手段に記憶されている音声データを取得可能に構成し、設定手段により、その音声データをアンサーバック音データとしてロック／アンロック動作のいずれか指定された動作に対応して記憶手段に記憶設定するように構成したので、携帯型のメモリなどの記憶媒体を使って簡単且つ迅速にアンサーバック音データの登録設定をすることができるようになる。
【００１６】
請求項１３の発明によれば、上記各発明において、アンサーバック音を音声出力する機能に加えて、ドアのロック／アンロック動作に対応するアンサーバック動作を行うアンサーバック動作制御手段を設けたので、音声出力だけではロック／アンロック動作の確認がし難い場合でも、例えば視覚的な手段に訴えるようなアンサーバック動作を確認することで確実に動作確認を行うことができるようになる。
【００１７】
請求項１４の発明によれば、上記請求項１３の発明において、アンサーバック動作制御手段として、ライトの点滅動作をアンサーバック動作として実施するように構成したので、夜間あるいは周囲の音が大きくアンサーバック音を聞き取り難い環境にある場合でもライトの点滅動作を視認することで確実にドアのロック／アンロック動作を確認することができるようになる。
【００１８】
請求項１５の発明によれば、前記請求項１３の発明において、アンサーバック動作制御手段として、サイドミラーの開閉動作をアンサーバック動作として実施するように構成したので、上記同様に、夜間あるいは周囲の音が大きくアンサーバック音を聞き取り難い環境にある場合でもサイドミラーの開閉動作を視認することで確実にドアのロック／アンロック動作を確認することができるようになる。
【発明を実施するための最良の形態】
【００１９】
以下、図面を参照して本発明の一実施形態について説明する。
図２はシステムの全体構成を示すもので、自動車１には、無線キー２からのロック／アンロック信号をキーレス信号受信手段としてのキー信号受信回路３で受信してドアロック制御を行う音声アンサーバック装置４が搭載されている。音声アンサーバック装置４には、アンサーバック音データを外部から取得するための通信回路５が接続されている。
【００２０】
通信回路５は、例えばカーナビゲーション装置に設けられた通信装置を利用しており、携帯電話機などの通信を中継する基地局６からサーバ７を介してインターネット８にアクセス可能である。インターネット８には、アンサーバック音データを提供するデータサーバ９ａ，９ｂがアクセス可能に設けられている。データサーバ９ａは、ロック音用のアンサーバック音データを提供しており、データサーバ９ｂは、アンロック音用のアンサーバック音データを提供するように設けられたものである。これらのデータサーバ９ａ，９ｂは、使用者の選択に応じてアンサーバック音データをダウンロードすることができるようになっている。
【００２１】
図１は音声アンサーバック装置４の電気的なブロック構成を示すもので、ドアロック制御回路１０は、無線キー２から送信されたロック／アンロック信号をキー信号受信回路３を介して受け付けるもので、受信した信号に応じて図示しないドアロック機構を駆動制御すると共に、ロック／アンロック動作を実行したことを制御回路１１に出力する。
【００２２】
制御回路１１は、マイコンなどを主体として構成されるもので、プログラムにより動作制御をつかさどっている。この制御回路１１には前述の通信回路５が接続されると共に、操作部１２、表示部１３、音声合成回路１４、スピーカ１５、データ入力インターフェース（Ｉ／Ｆ）１６、およびメモリ１７などが接続されている。また、制御回路１１は、制御手段、アンサーバック手段、データ取得手段、設定手段、認証手段としての機能を兼ね備えたものである。
【００２３】
操作部１２は、アンサーバック音データの設定操作を含んで種々の操作入力を行うためのもので、具体的には液晶による表示部１３の前面に設けられたタッチパネルとして設けられたものである。表示部１３は、アンサーバック音データの設定操作に応じて必要な画面表示を行ったり、他の種々の設定操作に応じた画面表示を行ったりするためのものである。
【００２４】
音声合成回路１４は、アンサーバック音データに基づいて音声合成を行ってスピーカ１５により音声出力をするものである。データ入力Ｉ／Ｆ１６は、例えばＩＣカードやＳＤメモリ（登録商標）などに記憶されているアンサーバック音データを読み込み可能に設けられたものである。記憶手段としてのメモリ１７は、アンサーバック音データや種々のデータを記憶するためのもので、フラッシュメモリなどに代表される不揮発性メモリが設けられている。
【００２５】
次に、上記構成の作用について図３ないし図９を参照して説明する。
まず、本実施形態において対象としているアンサーバック処理動作の一般的な動作について図３を参照して説明する。無線キー２には、ロック／アンロック動作を実施するための操作ボタンが設けられていて、自動車１の外部において所定距離以内で使用者により操作されると、その無線キー信号が自動車１のキー信号受信回路３により受信され、ドアロック制御回路１０に出力される。
【００２６】
ドアロック制御回路１０は、ドアロック機構に対して、そのときドアがロック状態である場合にはアンロック動作を行わせ、ドアがアンロック状態である場合にはロック動作を行わせるように制御信号を出力する。そして、このときのドアのロック／アンロックの制御信号は制御回路１１にも出力される。
【００２７】
上述のロック／アンロック動作に対応して、制御回路１１は、図３に示すフローチャートに従ってアンサーバック音出力の処理を行う。制御回路１１は、ドアロック制御回路１０から信号を受信すると、まず、ドアがロックされたか否かを判断し（ステップＡ１）、ＹＥＳの場合にはメモリ１７に格納されているロック用の音声データを読み出して音声合成回路１４を介して音声出力としてスピーカ１５により出力する（ステップＡ２）。この音声出力は、自動車１の外部に居る使用者に聞こえる程度の音量で出力され、使用者はロック動作が行われたことを音声により確認することができる。
【００２８】
また、制御回路１１は、ステップＡ１でＮＯと判断した場合には、ステップＡ３でドアがアンロックされたか否かを判断し、ＹＥＳの場合にはメモリ１７に格納されているアンロック用の音声データを読み出して音声合成回路１４を介して音声出力として上述同様にしてスピーカ１５により出力する（ステップＡ４）。
【００２９】
上述したアンサーバック動作では、音声出力によりアンサーバック音を使用者に発することで報知するのであるが、このアンサーバック動作は、音だけではなく他の動作を併用することでより確実に使用者に報知することができるものである。そのアンサーバック動作とは、例えば、ロック／アンロック動作時に、ヘッドライトやウインカーなどのライトの点滅動作を異なる動作態様で行ったり、あるいはサイドミラーを電動で格納できる車両においては同時にサイドミラーを開閉する動作を行うようにして報知をすることである。
【００３０】
次に、使用者が自分の好みのアンサーバック音をダウンロードすると共にこれをアンサーバック音として設定する操作手順とその動作について説明する。ここでは、例えば、図８（ａ）に示すような操作の内容に対応した画面が表示部１３に表示される。ここでは、制御回路１１は、通信回路５を介して基地局６、サーバ７、インターネット８にアクセスし、データサーバ９ａあるいは９ｂに接続する。データサーバ９ａ，９ｂがアンサーバック音に関する情報を提供するようになり、制御回路１１は、これに応じて次のように処理を開始する。
【００３１】
まず、ロック／アンロック動作時のアンサーバック音をダウンロードして設定する場合には、操作部１２を操作してダウンロードメニューを選択する。すると、制御回路１１は、ダウンロードボタンが押されたことを認識して（ステップＢ１でＹＥＳ）、個人認証の処理を実施するようになる（ステップＢ２）。
【００３２】
個人認証処理では、制御回路１１は、図８（ｂ）に示すように、表示部１３にパスワードの入力を促す表示をすると共に、図５に示す個人認証処理を実行する。使用者により個人認証用のデータが入力されると、制御回路１１は、これを受け付ける（ステップＣ１）と共に予め登録されている認証データをメモリ１７から読み出して照合処理をする（ステップＣ２）。
【００３３】
制御回路１１は、照合結果が一致であった場合には（ステップＣ３でＹＥＳ）、本人を確認したとし（ステップＣ４）、不一致であった場合には（ステップＣ３でＮＯ）、本人未確認として（ステップＣ５）ダウンロード処理のプログラムにリターンする。これにより、登録された使用者のみがダウンロード処理を実施することができるようになり、複数の使用者が不用意にダウンロード処理できるといったことを防止することができるようになる。
【００３４】
さて、上記の入力処理で本人確認がなされた場合には、制御回路１１は、図４のダウンロード処理のプログラムにおいてステップＢ３でＹＥＳと判断し、ダウンロードメニューの表示処理に移行する（ステップＢ４）。ここでは、制御回路１１は、図８（ｃ）に示すように、ダウンロード可能なアンサーバック音の名称を表示部１３に表示して選択入力がなされるのを待機する（ステップＢ５，Ｂ６）。
【００３５】
そして、使用者により、表示されているアンサーバック音のいずれかが選択入力されると、制御回路１１は、データサーバ９ａあるいは９ｂからアンサーバック音データのダウンロードを開始し（ステップＢ７）、メモリ１７に格納する（ステップＢ８）。ダウンロードが終了すると、制御回路１１は、表示部１３に、図８（ｄ）に示すようにその旨を表示してメインプログラムにリターンする。
なお、ステップＢ５，Ｂ６で待機している状態で、ダウンロードボタンが操作されることなく終了ボタンが操作された場合には（ステップＢ６でＹＥＳ）、制御回路１１は、ダウンロード処理を中断してメインプログラムにリターンする。
【００３６】
メインプログラムに戻ると、制御回路１１は、再び図８（ａ）に示す画面を表示部１３に表示する。この後、ダウンロードしたアンサーバック音データについて、アンサーバック音として設定処理をする場合には、音声設定の処理を選択して入力することで制御回路１１により実行される。
【００３７】
この場合には、前述同様にしてパスワードの入力を促し（図８（ｅ）参照）、例えばロック音の設定の場合には、アンサーバック音としてメモリ１７内に記憶されているデータを表示する。使用者により好みのアンサーバック音が選択入力されると、制御回路１１は、選択されたアンサーバック音をロック音として設定処理し、表示部１３に図８（ｇ）に示すような表示を行わせて設定処理を終了する。
【００３８】
次に、既にメモリ１７内に複数のアンサーバック音データが記憶保持されている状態で、音声設定を新たに行う場合あるいは変更設定をする場合について図６および図７の音声設定処理、音声選択処理のフローチャートおよび図９の表示画面の図を参照して説明する。なお、図８で示した音声設定の処理は、ダウンロードを実施して初めてロック音やアンロック音を設定する場合で、既にロック音あるいはアンロック音が設定されている場合には、新規設定あるいは変更設定に際して以下に示すようにして処理が進められる。
【００３９】
表示部１３のタッチスイッチ（操作部１２）を操作することにより音声設定のメニューが操作入力されると、制御回路１１は、図６のプログラムをスタートすると共に、表示部１３に図９（ａ）に示すような音声設定の画面を表示させ、音声設定開始の操作入力があるまで待機状態となる（ステップＤ１）。
「ロック音設定」あるいは「アンロック音設定」のいずれかの音声設定開始の操作入力があると、制御回路１１は、使用者にパスワードなどの個人認証データの入力を促し、前述同様にして個人認証の処理を行う（ステップＤ２）。個人認証の処理は、図５のフローチャートに従って実施される。
【００４０】
本人であることが確認されると（ステップＤ３でＹＥＳ）、制御回路１１は、メモリ１７に記憶されているアンサーバック音データを読み出して表示部１３に表示させるようになる（ステップＤ４）。この場合、制御回路１１は、「ロック音設定」の場合にはロック音のデータを読み出して表示し、「アンロック音設定」の場合にはアンロック音のデータを読み出して表示する。
次に、制御回路１１は、表示した設定可能なアンサーバック音データを選択して入力するのを待機するようになる（ステップＤ５）。この待機中には、選択入力がなされる前に終了ボタンが操作されると処理を中断してメインプログラムに戻るようになっている（ステップＤ６）。
【００４１】
そして、使用者が設定するアンサーバック音を選択入力すると、制御回路１１は、音声選択処理を実行する（ステップＤ７）。この音声選択処理では、制御回路１１は、具体的には図７に示す音声選択処理のフローチャートに従って処理を実行する。
制御回路１１は、まず選択入力されたアンサーバック音データがロック音設定であるか否かを判断し（ステップＥ１）、ＹＥＳの場合には続いてアンロック音が既に設定されているか否かを判断する（ステップＥ２）。制御回路１１は、ここでＹＥＳの場合には選択されたアンサーバック音がアンロック音として設定されているものと同じか否かを判断し（ステップＥ３）、異なる場合（ＹＥＳの場合）には選択されたものをロック音として設定処理を行う（ステップＥ４）。
【００４２】
また、制御回路１１は、アンロック音が設定されていない場合には、ステップＥ２でＮＯと判断してステップＥ４にジャンプしてロック音の設定処理を行う。また、ステップＥ３で、ＮＯの場合つまりアンロック音として既に設定されたものである場合には、制御回路１１は、選択されたアンサーバック音データをロック音として設定することを禁止すべく、他のアンサーバック音データを選択入力しなおすように促して（ステップＥ５）プログラムを終了する。
【００４３】
一方、ロック音の設定ではない場合には、制御回路１１は、ステップＥ１でＮＯと判断し、ステップＥ６に移行する。制御回路１１は、アンロック音の設定か否かを判断し、ＹＥＳの場合には、ロック音が既に設定されているか否かを判断し（ステップＥ７）、ＹＥＳの場合には選択された音がロック音として設定されているアンサーバック音データと違うか否かを判断する（ステップＥ８）。ＹＥＳの場合には制御回路１１は、選択されたアンサーバック音データをアンロック音として設定する処理を行い（ステップＥ９）、ＮＯの場合にはステップＥ５に移行して再選択を促してプログラムを終了する。また、ステップＥ７でＮＯの場合つまりロック音が設定されていない場合には、ステップＥ９にジャンプしてアンロック音の設定処理を行う。
【００４４】
音声選択処理が終了すると、制御回路１１は、図６のステップＤ８に移行し、設定が確定したアンサーバック音データについてメモリ１７に格納して設定処理を行い音声設定処理を終了する。
【００４５】
上述の音声選択処理では、例えばアンロック音が選択入力された場合を想定すると、図９に示すような表示部１３の表示動作が実施される。ロック音が既に設定されている場合には、図９（ｂ）に示すように、アンロック音設定画面に表示されているアンサーバック音データの選択入力を行うと、これが既にロック音として設定されている場合には図９（ｃ）に示すように「アンロック音に設定できない」旨の表示を行う。この過程は、図７のフローチャートでは、Ｅ１→Ｅ６→Ｅ７→Ｅ８→Ｅ５という進行となっている場合に相当している。
【００４６】
また、ロック音が設定されていない場合には、表示部１３には図９（ｄ）のように選択すべきアンサーバック音データが表示された場合に、どれを選んだ場合でも図９（ｅ）に示すように、アンロック音に設定をすることを表示する画面となる。この過程は、図７のフローチャートでは、Ｅ１→Ｅ６→Ｅ７→Ｅ９という進行となっている場合に相当している。
【００４７】
上記したようにしてアンサーバック音を設定する場合に加えて、この構成では、外部メモリに記憶しているアンサーバック音データをデータ入力Ｉ／Ｆ１６を介して入力することができるようになっている。ＳＤメモリやその他のメモリをデータ入力Ｉ／Ｆ１６に装着すると、内部に記憶されているデータが読み出され、上述したのと同様にしてアンサーバック音の設定処理が行えるものである。
【００４８】
また、通信回路５を介して携帯電話機との通信が可能に構成されていて、メールにアンサーバック音データを添付することで転送することができるようになっており、上述同様にして読み込んだアンサーバック音データを設定処理することができるように構成されている。この場合、携帯電話機は、専用のダウンロードサイトから好みの音データをダウンロードしたものをメールに添付することができるように構成されたものが対象である。
【００４９】
このような本実施形態によれば、アンサーバック動作としてアンサーバック音を設定して音声出力する場合に、簡単且つ迅速に好みのアンサーバック音を設定することができると共に、設定の際にうっかりロック用、アンロック用のアンサーバック音データを同じ音に設定してしまうことを防止できるので、使用者が確実に認識することができるようになる。
【００５０】
また、アンサーバック音の設定を行う際には、その使用者を特定するための個人認証処理を行うので、不用意に他の使用者によってアンサーバック音を設定したり変更したりすることがなくなり、使用者にとって信頼性の高いアンサーバック動作を提供することができるようになる。
【００５１】
アンサーバック音のダウンロードをする場合に、ロック音用のデータサーバ９ａ、アンロック音用のデータサーバ９ｂを別々に設け、それぞれ重複するアンサーバック音データをダウンロードできないようにしているので、確実に異なるアンサーバック音データをダウンロードして設定することができる。
【００５２】
本発明は、上記実施形態にのみ限定されるものではなく、次のように変形また拡張できる。
操作部や表示部の構成は、専用のものでも良いし、例えばカーナビゲーション装置のディスプレイ（タッチパネルと表示）を兼用して構成することもできる。
【００５３】
アンサーバック音の再生時間や音量を使用者により自由に設定できるようにすることもできる。これは、例えばアンサーバック音として楽曲や歌などを設定する場合に、どの程度の時間や音量に設定するかを選べるようにすることで使用者の選択の自由度を高めるものである。
【００５４】
カーナビゲーション装置を設ける構成の場合には、ナビゲーションの情報を用いて、現在地が人の多い場所（スーパーの駐車場などの）や夜間などの場合を判断して、音を出さないようにしたり音量を小さくしたりするなどの対応ができるようにしても良い。これにより、使用者に対してきめ細かな設定をして使い勝手の向上を図ることができるようになる。
【図面の簡単な説明】
【００５５】
【図１】本発明の一実施形態を示す全体構成の概略図
【図２】電気的なブロック構成図
【図３】ロック／アンロック処理のフローチャート
【図４】ダウンロード処理のフローチャート
【図５】個人認証処理のフローチャート
【図６】音声設定処理のフローチャート
【図７】音声選択処理のフローチャート
【図８】表示部の表示画面の推移を示す例（その１）
【図９】表示部の表示画面の推移を示す例（その２）
【符号の説明】
【００５６】
図面中、２は無線キー、３はキー信号受信回路（キーレス信号受信手段）、４はアンサーバック装置、５は通信回路、９ａ，９ｂはデータサーバ、１０はドアロック制御回路、１１は制御回路（制御手段、アンサーバック手段、データ取得手段、設定手段、認証手段）、１２は操作部、１３は表示部、１７はメモリ（記憶手段）である。
【図１】
2006169870.tif 000003
【図２】
2006169870.tif 000004
【図３】
2006169870.tif 000005
【図４】
2006169870.tif 000006
【図５】
2006169870.tif 000007
【図６】
2006169870.tif 000008
【図７】
2006169870.tif 000009
【図８】
2006169870.tif 000010
【図９】
2006169870.tif 000011